(57)【要約】【課題】基材５を適切に固定する。【解決手段】基材５を収納する方形状の窪みにより構成される複数の収納部１６を有するトレイ梱包容器１０を梱包するトレイ梱包体７０であって、トレイ梱包容器１０を内部に収納するトレイ梱包用箱体２０と、トレイ梱包容器１０の収納部１６に収納された基材５の互いに隣接する少なくとも２つの側面が、トレイ梱包容器１０の収納部１６の互いに隣接した２つの側面と接するように、収納部１６の底面を傾斜させた状態で、トレイ梱包用箱体２０の内部にトレイ梱包容器１０を保持するトレイ集合体収納部２８とを備える。【選択図】図１
2005280796.tif 000002
【特許請求の範囲】
【請求項１】
基材を収納する方形状の窪みにより構成される複数の収納部を有するトレイ梱包容器を梱包するトレイ梱包体であって、
前記トレイ梱包容器を内部に収納するトレイ梱包用箱体と、
前記トレイ梱包容器の前記収納部に収納された前記基材の互いに隣接する少なくとも２つの側面が、前記トレイ梱包容器の前記収納部の互いに隣接した２つの側面と接するように、前記収納部の底面を傾斜させた状態で、前記トレイ梱包用箱体の内部に前記トレイ梱包容器を保持する保持手段と
を備えることを特徴とするトレイ梱包体。
【請求項２】
前記トレイ梱包容器は、前記収納部の底面と平行な底面と、前記収納部の各側面と平行な各側面とを有する方形状体であり、
前記保持手段は、前記トレイ梱包容器の底面における一の頂点を、前記トレイ梱包容器における他のいずれの頂点よりも下方に保持することにより、前記基材の互いに隣接した少なくとも２つの側面が、前記収納部の互いに隣接した２つの側面と接するように、前記収納部の底面を傾斜させた状態で、前記トレイ梱包容器を保持することを特徴とする請求項１に記載のトレイ梱包体。
【請求項３】
前記トレイ梱包容器において、最も下方に保持される前記一の頂点から延びる３辺の各々が鉛直方向となす角度が互いに等しくなるように、前記保持手段は、前記トレイ梱包容器を保持することを特徴とする請求項２に記載のトレイ梱包体。
【請求項４】
前記収納部の底面は、一の頂点が他のいずれの頂点よりも、前記トレイ梱包容器の底面に近くなるように、前記トレイ梱包容器の底面に対して傾斜しており、
前記保持手段は、前記トレイ梱包容器の底面を水平に保持することにより、前記基材の互いに隣接した少なくとも２つの側面が、前記収納部の互いに隣接した２つの側面と接するように、前記収納部の底面を傾斜させた状態で、前記トレイ梱包容器を保持することを特徴とする請求項１に記載のトレイ梱包体。
【請求項５】
底面を水平にして、トレイ梱包用箱体の内部に収納されるトレイ梱包容器であって、
基材を収納する方形状の窪みにより構成される複数の収納部を有し、
前記収納部の底面は、一の頂点が他のいずれの頂点よりも、前記トレイ梱包容器の底面に近くなるように、前記トレイ梱包容器の底面に対して傾斜していることを特徴とするトレイ梱包容器。
【請求項６】
基材を収納する方形状の窪みにより構成される複数の収納部を有するトレイ梱包容器を梱包する梱包方法であって、
前記トレイ梱包容器の前記収納部に、前記基材を収納する収納工程と、
前記トレイ梱包容器の前記収納部に収納された前記基材の互いに隣接する少なくとも２つの側面が、前記トレイ梱包容器の前記収納部の互いに隣接した２つの側面と接するように、前記収納部の底面を傾斜させた状態で、前記トレイ梱包用箱体の内部に前記トレイ梱包容器を保持する保持工程と、
前記収納部の底面の傾斜を保ちながら、前記トレイ梱包用箱体を梱包する梱包工程と
を備えることを特徴とする梱包方法。
【発明の詳細な説明】
【技術分野】
【０００１】
本発明は、トレイ梱包体、トレイ梱包容器、及び梱包方法に関する。特に、本発明は、トレイ梱包容器と比べて比較的微小な面積を有し、かつ外力に対する強度の小さい基材に好適なトレイ梱包体、トレイ梱包容器、及び梱包方法に関する。
【背景技術】
【０００２】
従来、トレイの鍔状縁の角部に緩衝部を設けることにより、トレイに収容された薄型製品の破損を防ぐ構成が知られている（例えば、特許文献１参照。）。この構成において、トレイは、例えば液晶表示素子や配線基板等の比較的大きな面積の薄型製品を収容する。
【０００３】
また、トレイに収容される基材としては、例えば光学ミラーや光学フィルタ等の光学ガラス製品が知られている。これらの光学ガラス製品は、例えば小型のガラス基板に薄膜を形成して製造される。また、これらの光学ガラス製品は、例えば縦横３個以上ずつの配列でトレイに収納されるような、比較的微小な面積を有する場合がある。
【０００４】
図６は、従来のトレイ１００の構成を模式的に示す斜視図である。トレイ１００は、比較的微小な面積の光学ガラス製品等に用いられる専用のトレイであり、額縁状の枠１４０と、この枠１４０の内部に、縦横に交差して互いに直交するように設けられた仕切り１６０、１６５が形成され、枠１４０、仕切り１６０、１６５で区画された、複数の収納部１７０を備えて構成されている。
【０００５】
図７は、トレイ１００を用いた梱包形態を模式的に示す斜視図である。トレイ１００を輸送する場合には、例えば光学ガラス製品等の基材を収納部１７０に収納した後、このトレイ１００を横向きに、段重ねに積重ねて直方体状にしたトレイ集合体２００を形成する。そして、これを段ボール箱等の箱体６０に収納した梱包体２５０として輸送する。これにより、基材を立てるか平置きにして輸送することができるため、梱包体積の有効利用の点で有利となり、効率のよい輸送を行うことができる。尚、トレイ集合体２００において、それぞれのトレイ１００は、下段のトレイ１００に対する蓋を兼用しつつ、既定数量分だけ積み重ねられている。
【０００６】
【特許文献１】特開２００２−１９３３４１号公報
【発明の開示】
【発明が解決しようとする課題】
【０００７】
しかし、光学ガラス製品等の基材は、外部から衝撃や振動等の物理的な力を受けると、たとえ軽微な力であっても表面が損傷する場合や、端部（特に角部）が破損し易い場合がある。例えば、図７に示すような従来の梱包輸送形態では、このトレイ１００、ひいては基材に振動や衝撃等の物理的力が加わると、この力の大きさに応じて基材が収納部１７０の内部で動く場合がある。この場合、例えば図８（ａ）、及び要部拡大図である図８（ｂ）に示すように、枠１４０、又は仕切り１６０、１６５（図６参照）等との衝突により、基材が破損してしまう場合がある。そのため、従来、輸送時の振動や衝撃により、収納されている基材がケース内で暴れ、機械的強度の弱い緑部分や角部のカケやクラックなどの製品不良を引き起こす場合があった。
【０００８】
ここで、基材の面積が比較的大きい場合には、例えば基材の自重により、輸送時における振動や衝撃をある程度抑えることができる場合もある。この場合には、例えば特許文献１に開示されている構成により、基材を保護することもできる。
【０００９】
しかし、輸送に伴う振動に応じて収納部１７０内で移動してしまうような比較的微小な面積の基材に対しては、輸送時における振動や衝撃を低減するのが困難な場合があった。また、そのため、従来、比較的微小な面積の基材においては、輸送時の振動や衝撃により、製品不良が増大する場合があった。
【００１０】
そこで、本発明の課題は、輸送時の振動や衝撃で発生していた光学ガラス製品等の角部の欠けやひびを充分に抑えることができるトレイ梱包体、トレイ梱包容器、及び梱包方法を提供することにある。
【課題を解決するための手段】
【００１１】
上記の課題を解決するために、本発明の第１の形態においては、基材を収納する方形状の窪みにより構成される複数の収納部を有するトレイ梱包容器を梱包するトレイ梱包体であって、トレイ梱包容器を内部に収納するトレイ梱包用箱体と、トレイ梱包容器の収納部に収納された基材の互いに隣接する少なくとも２つの側面が、トレイ梱包容器の収納部の互いに隣接した２つの側面と接するように、収納部の底面を傾斜させた状態で、トレイ梱包用箱体の内部にトレイ梱包容器を保持する保持手段とを備える。これにより、基材を適切に固定することができる。
【００１２】
また、トレイ梱包容器は、収納部の底面と平行な底面と、収納部の各側面と平行な各側面とを有する方形状体であり、保持手段は、トレイ梱包容器の底面における一の頂点を、トレイ梱包容器における他のいずれの頂点よりも下方に保持することにより、基材の互いに隣接した少なくとも２つの側面が、収納部の互いに隣接した２つの側面と接するように、収納部の底面を傾斜させた状態で、トレイ梱包容器を保持してもよい。これにより、簡易なトレイ梱包容器を用いて、基材を適切に固定することができる。
【００１３】
また、トレイ梱包容器において、最も下方に保持される一の頂点から延びる３辺の各々が鉛直方向となす角度が互いに等しくなるように、保持手段は、トレイ梱包容器を保持してもよい。これにより、基材を、より適切に固定することができる。
【００１４】
また、収納部の底面は、一の頂点が他のいずれの頂点よりも、トレイ梱包容器の底面に近くなるように、トレイ梱包容器の底面に対して傾斜しており、保持手段は、トレイ梱包容器の底面を水平に保持することにより、基材の互いに隣接した少なくとも２つの側面が、収納部の互いに隣接した２つの側面と接するように、収納部の底面を傾斜させた状態で、トレイ梱包容器を保持してもよい。これにより、トレイ梱包容器を、トレイ梱包用箱体内に、効率よく収納することができる。
【００１５】
本発明の第２の形態によれば、底面を水平にして、トレイ梱包用箱体の内部に収納されるトレイ梱包容器であって、基材を収納する方形状の窪みにより構成される複数の収納部を有し、収納部の底面は、一の頂点が他のいずれの頂点よりも、トレイ梱包容器の底面に近くなるように、トレイ梱包容器の底面に対して傾斜している。これにより、第１の形態と同様の効果を得ることができる。
【００１６】
本発明の第３の形態によれば、基材を収納する方形状の窪みにより構成される複数の収納部を有するトレイ梱包容器を梱包する梱包方法であって、トレイ梱包容器の収納部に、基材を収納する収納工程と、トレイ梱包容器の収納部に収納された基材の互いに隣接する少なくとも２つの側面が、トレイ梱包容器の収納部の互いに隣接した２つの側面と接するように、収納部の底面を傾斜させた状態で、トレイ梱包用箱体の内部にトレイ梱包容器を保持する保持工程と、収納部の底面の傾斜を保ちながら、トレイ梱包用箱体を梱包する梱包工程とを備える。これにより、第１の形態と同様の効果を得ることができる。
【発明を実施するための最良の形態】
【００１７】
以下、本発明に係る実施の形態を、図面を参照しながら説明する。図１は、本発明の一実施形態に係るトレイ梱包体７０の構成の一例を模式的に示す斜視図である。本例のトレイ梱包体７０は、光学ガラス製品等の角部に欠けやひびが発生するのを抑えることを目的とする。トレイ梱包体７０は、トレイ梱包容器１０を梱包する梱包体であって、トレイ梱包用箱体２０及びトレイ集合体収納部２８を備える。本例において、トレイ梱包体７０は、複数のトレイ梱包容器１０が重ねられたトレイ集合体８０を梱包する。ここで、トレイ梱包容器１０は、例えば板状の基材を収納するトレイである。
【００１８】
トレイ梱包用箱体２０は、例えばダンボール等の、トレイ梱包容器１０を輸送するためのケースである。本例において、トレイ梱包用箱体２０は、トレイ集合体８０が収納できる大きさを有する、方形状に形成された箱であり、トレイ集合体８０を挿入する挿入口２２と、挿入口２２を外部から遮断する蓋部２４とを有する。また、トレイ梱包用箱体２０は、底部２６上にトレイ集合体収納部２８を保持する。
【００１９】
トレイ集合体収納部２８は、トレイ梱包容器１０を保持する保持手段の一例であり、トレイ梱包用箱体２０の底部２６において、トレイ集合体８０を、所定の傾斜角度だけ傾斜させて保持する。本例において、トレイ集合体収納部２８は、トレイ集合体８０を固定するための台座であり、例えば従来公知の各種の緩衝材又は弾性部材等により、トレイ集合体８０に含まれるトレイ梱包容器１０が斜めに収まるように形成される。これにより、トレイ集合体収納部２８は、トレイ梱包容器１０を、所定の角度だけ傾けて保持する。また、これにより、トレイ梱包用箱体２０は、トレイ梱包容器１０を内部に収納する。
【００２０】
尚、トレイ集合体収納部２８は、トレイ梱包用箱体２０内に別途組み込まれてもよく、トレイ梱包用箱体２０と一体に形成されてもよい。また、トレイ集合体収納部２８に代えて、例えばトレイ梱包用箱体２０の底部２６が保持手段の機能を有してもよい。
【００２１】
また、トレイ梱包体７０は、トレイ梱包用箱体２０の内壁との間におけるトレイ集合体８０の周囲に、更に緩衝材を有するのが望ましい。この緩衝材は、輸送時において、トレイ集合体８０又はトレイ梱包容器１０が動かないように、トレイ梱包容器１０を保護する。本例によれば、トレイ梱包容器１０を平置きに束ねたトレイ集合体８０を、例えば立てた状態や、平置きにするのではなく、所定の角度だけ傾けた状態で、トレイ梱包用箱体２０に収納して、輸送することができる。
【００２２】
図２は、トレイ梱包容器１０の構造を模式的に示す斜視図である。本例において、トレイ梱包容器１０は、方形状であり、例えば弾性部材により、一体成形される。また、トレイ梱包容器１０は、内底部１４に、複数の収納部１６を有する。それぞれの収納部１６は、基材５を収納する方形状の窪みにより構成される。ここで、基材５は、トレイ梱包容器１０に収納される板状体であり、例えば光学ミラーや光学フィルタ等の光学ガラス製品等である。本例によれば、トレイ梱包容器１０に、多数の基材５を、適切に収納することができる。尚、トレイ梱包容器１０は、比較的微小な面積の光学ガラス製品等に用いられる専用のトレイであり、額縁状の枠と、この枠の内部に、縦横に交差して互いに直交するように設けられた仕切りが形成され、枠及び仕切りで区画された、複数の収納部１６を備えて構成されている。
【００２３】
ここで、本例において、トレイ梱包容器１０の上面１１は額縁状に開口されている。また、トレイ梱包容器１０は、トレイ棚包容器１０の上縁部１１ａと外底部１５とに、係止部１７を有する。係止部１７は、一のトレイ梱包容器１０の上縁部１１ａと他のトレイ梱包容器１０の底部１５とを互いに突き合せて係止する。尚、外底部１５とは、トレイ梱包容器１０の底面である。
【００２４】
また、本例において、収納部１６は、トレイ梱包容器１０の内底部１４から、トレイ梱包容器１０の厚み方向に窪んでいる。そのため、収納部１６の底面と、トレイ梱包容器１０の外底部１５とは平行であり、収納部１６の各側面１６と、トレイ梱包容器１０の各側面とは、平行である。
【００２５】
図３は、本例における梱包方法の一例を説明する図である。図３（ａ）は、梱包方法の一例を示すフローチャートである。図３（ｂ）は、トレイ梱包容器１０の要部を模式的に示す。
【００２６】
本例の梱包方法は、収納工程、トレイ集合体形成工程、トレイ傾斜工程、及び梱包工程を含む。そして、最初に、収納工程において、トレイ梱包容器１０の収納部１６に、基材５を収納する（ステップＳ１）。次に、トレイ集合体形成工程において、複数のトレイ梱包容器１０を準備して、一のトレイ梱包容器１０の上縁部１１ａと他のトレイ梱包容器１０の外底部１５とを互いに突き合せて積重ね、直方体状のトレイ集合体８０を形成する（ステップS２）。
【００２７】
次に、トレイ傾斜工程において、トレイ集合体８０の底部に含まれる１つの頂点を固定してトレイ梱包容器１０を傾斜させる。（ステップS３）。これにより、図３（ｂ）に示すように、トレイ梱包容器１０の収納部１６に収納された基材５の互いに隣接する少なくとも２つの側面が、収納部１６の互いに隣接した２つの側面１６ａと接するように、収納部１６の底面１６ｂを傾斜させる。この場合、トレイ梱包容器１０を、鉛直方向に対して、２０〜７０°傾斜させるのが好ましい。
【００２８】
そして、次に、トレイ集合体固定工程において、トレイ傾斜工程で傾けたトレイ集合体８０を、傾斜角度を保持したままトレイ梱包用箱体２０の内部に収納して、この傾斜角度を一定に保持するように、トレイ集合体８０を固定する（ステップS４）。これにより、収納部１６の底面１６ｂを傾斜させた状態で、トレイ梱包用箱体２０の内部にトレイ梱包容器１０を保持する。尚、トレイ集合体固定工程は、保持工程の一例である。
【００２９】
そして、トレイ集合体固定工程の後、梱包工程において、  収納部１６の底面１６ｂの傾斜を保ちながら、トレイ梱包用箱体２０を梱包して（ステップＳ５）、梱包を完了する。本例によれば、所定の角度に傾斜させたトレイ梱包容器１０を、トレイ梱包用箱体２０内に、適切に梱包することができる。
【００３０】
図４は、トレイ集合体収納部２８の機能を説明する図である。図４（ａ）は、トレイ集合体収納部２８に保持されたトレイ梱包容器１０を模式的に示す斜視図である。図４（ａ）においては、説明の便宜上、トレイ集合体８０における一番下のトレイ梱包容器１０のみを、トレイ集合体収納部２８とともに示す。
【００３１】
本例において、トレイ集合体収納部２８は、トレイ梱包用箱体２０（図１参照）の内部にトレイ梱包容器１０を水平方向に対して傾けて保持することにより、トレイ梱包容器１０の外底部１５における一の頂点２０６を、トレイ梱包容器１０における他のいずれの頂点よりも下方に保持する。これにより、トレイ集合体収納部２８は、収納部１６の一の頂点を下方にして収納部１６の底面を傾斜させた状態で、トレイ梱包容器１０を保持する。この場合、図３（ｂ）を用いて説明したように、トレイ梱包容器１０の収納部１６に収納された基材５の互いに隣接する少なくとも２つの側面は、収納部１６の互いに隣接した２つの側面１６ａと接する。
【００３２】
ここで、例えば外底部１５を水平にして、トレイ梱包容器１０をトレイ梱包用箱体２０に収納するとすれば、輸送時の振動により、収納部１６内で基材５が動き、基材５に損傷が生じる場合も考えられる。また、例えばトレイ梱包容器１０を長辺又は短辺方向に傾けることにより、収納部１６の底面１６ｂ、及び一つの側面１６ａの２面のみで、基材５を押さえる構成も考えられる。しかし、この場合も、基材５は、トレイ梱包容器１０の傾きと直交する方向に自由度を持つため、この方向に対する基材５の揺れを規制することはできない場合がある。
【００３３】
一方、本例において、トレイ集合体収納部２８は、基材５の３面がトレイの仕切り壁に接触するようにトレイ梱包容器１０を傾斜させている。そのため、収納部１６内の基材５は、収納部１６の底面１６ｂ、及び収納部１６における隣接した２つの側面１６ａにより三方が押さえられている。これにより、基材５の３次元的位置を固定することができる。そのため、本例によれば、輸送時の振動等に応じて基材５が動いてしまうのを、防ぐことができる。また、これにより、基材５に損傷が生じるのを防ぐことができる。また、本例によれば、トレイ梱包容器１０を傾斜させることにより、例えば従来のトレイと同様の簡易なトレイ梱包容器１０を用いて、基材を適切に保持することができる。
【００３４】
ここで、図４（ｂ）に示すように、最も下方に保持される一の頂点２０６から延びる３辺２０４ａ〜ｃの各々は、一点鎖線２０２で示す鉛直方向（重力方向）に対して、それぞれ角度α、β、γをなす。この場合、トレイ集合体収納部２８は、角度α、β、γのそれぞれが互いに等しくなるように、トレイ梱包容器１０を保持するのが望ましい。この場合、収納部１６内の基材５を、更に安定に保持することができる。
【００３５】
尚、頂点２０６は、例えば、トレイ集合体８０を包含する最小体積の直方体における一つの頂点であってよい。また、トレイ集合体収納部２８は、3辺２０４ａ〜ｃの各々と水平方向がなす角度は均等になるように、トレイ梱包容器１０を保持してよい。ここで、水平方向とは、鉛直方向に垂直な方向である。辺２０４と水平方向がなす角とは、例えば、辺２０４と水平面がなす角である。
【００３６】
図５は、トレイ梱包容器１０の構成の他の例を示す。図５（ａ）は、トレイ梱包容器１０を模式的に示す斜視図である。図５（ｂ）は、収納部１６を模式的に示す斜視図である。尚、以下に説明する点を除き、図５において、図１から図４と同じ符号を付した構成は、図１から図４における構成と同一又は同様の機能を有するため、説明を省略する、
【００３７】
本例において、収納部１６は、トレイ梱包容器１０の内底部１４に菱型の開口部を有する。そして、収納部１６は、この開口部から、一点鎖線３０２で示す鉛直方向に対して斜めの方向に、方形状に窪んでいる。
【００３８】
そのため、収納部１６の底面１６ｂは、一の頂点３０４ａが他のいずれの頂点３０４ｂ〜ｄよりも、トレイ梱包容器１０の外底部１５に近くなるように、トレイ梱包容器１０の外底部１５に対して傾斜している。また、収納部１６の側面１６ａは、収納部１６ｂと垂直に、収納部１６の開口部と、底面１６ｂとを接続する。
【００３９】
また、本例において、トレイ集合体収納部２８は、トレイ梱包容器１０を傾斜させずに、トレイ梱包容器１０の外底部１５を水平に保持する。これにより、トレイ集合体収納部２８は、収納部１６の底面１６ｂを傾斜させた状態で、トレイ梱包容器１０を保持する。この場合、基材５の互いに隣接した少なくとも２つの側面は、収納部１６の互いに隣接した２つの側面１６ａと接する。
【００４０】
そのため、本例においても、輸送時の振動等に応じて基材５が動いてしまうのを、防ぐことができる。また、これにより、基材５に損傷が生じるのを防ぐことができる。また、本例によれば、トレイ梱包容器１０の外底部１５を水平に保持することにより、トレイ梱包容器１０を、トレイ梱包用箱体２０内に、効率よく収納することができる。
【００４１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４２】
【図１】本発明の一実施形態に係るトレイ梱包体７０の構成の一例を模式的に示す斜視図である。
【図２】トレイ梱包容器１０の構造を模式的に示す斜視図である。
【図３】梱包方法の一例を説明する図である。  図３（ａ）は、梱包方法の一例を示すフローチャートである。  図３（ｂ）は、トレイ梱包容器１０の要部を模式的に示す図である。
【図４】トレイ集合体収納部２８の機能を説明する図である。  図４（ａ）は、トレイ集合体収納部２８に保持されたトレイ梱包容器１０を模式的に示す斜視図である。  図４（ｂ）は、一の頂点２０６から延びる３辺２０４ａ〜ｃを示す図である。
【図５】トレイ梱包容器１０の構成の他の例を示す図である。  図５（ａ）は、トレイ梱包容器１０を模式的に示す斜視図である。  図５（ｂ）は、収納部１６を模式的に示す斜視図である。
【図６】従来のトレイ１００の構成を模式的に示す斜視図である。
【図７】光学ガラス製品等の梱包形態を模式的に示す斜視図である。
【図８】トレイ１００の収納部１７０の部分拡大図である。
【符号の説明】
【００４３】
５・・・基材、１０・・・トレイ梱包容器、１１・・・上面、１１ａ・・・上縁部、１４・・・内底部、１５・・・外底部（底面）、１６・・・収納部、１６ａ・・・側面、１６ｂ・・・底面、１７・・・係止部、２０・・・トレイ梱包用箱体、２２・・・挿入口、２４・・・蓋部、２６・・・底部、２８・・・トレイ集合体収納部（保持手段）、６０・・・箱体、７０・・・トレイ梱包体、８０・・・トレイ集合体、１００・・・トレイ、１４０・・・枠、１６０・・・仕切り、１６５・・・仕切り、１７０・・・収納部、２００・・・トレイ集合体、２０２・・・一点鎖線、２０４・・・辺、２０６・・・頂点、２５０・・・梱包体、３０２・・・一点鎖線、３０４・・・頂点
【図１】
2005280796.tif 000003
【図２】
2005280796.tif 000004
【図３】
2005280796.tif 000005
【図４】
2005280796.tif 000006
【図５】
2005280796.tif 000007
【図６】
2005280796.tif 000008
【図７】
2005280796.tif 000009
【図８】
2005280796.tif 000010